(57)【要約】本願が中性子捕捉療法システムを提供して、前記中性子捕捉療法システムは、荷電粒子ビームを発生するための加速器、荷電粒子ビームに照射されると中性子ビームを発生する中性子発生部、中性子ビームを整形するビーム整形体を含み、前記ビーム整形体は減速体及び減速体の外周を覆う反射部を含み、前記中性子発生部が荷電粒子ビームに照射された後に中性子を発生し、前記減速体が中性子発生部から発生した中性子をデフォルトのエネルギースペクトルに減速し、前記反射部は、逸れた中性子を戻してデフォルトのエネルギースペクトル内の中性子の強度を向上することができる反射体及び反射体を支持する支持部材を含む。アンチモン鉛を使用して反射体とすることで、単に鉛材料を反射体として起こすクリープ効果を改善し、ビーム整形体の構造強度を向上することができる。
2020520773.tif 000002
【特許請求の範囲】
【請求項１】
中性子捕捉療法システムであって、荷電粒子ビームを発生するための加速器、荷電粒子ビームに照射されると中性子ビームを発生する中性子発生部、中性子ビームを整形するビーム整形体を含み、前記ビーム整形体は減速体及び減速体の外周を覆う反射部を含み、前記中性子発生部が荷電粒子ビームに照射された後に中性子を発生し、前記減速体が中性子発生部から発生した中性子をデフォルトのエネルギースペクトルに減速し、前記反射部は、逸れた中性子を戻してデフォルトのエネルギースペクトル内の中性子の強度を向上することができる反射体及び反射体を支持する支持部材を含む、ことを特徴とする中性子捕捉療法システム。
【請求項２】
前記反射部は複数のセルを含み、各セルが収容スペースを有する芯部を一つ形成し、複数の芯部が接続して前記支持部材を形成し、前記反射体が前記芯部の収容スペース内に設けられる、ことを特徴とする請求項１に記載の中性子捕捉療法システム。
【請求項３】
前記支持部材は一体的に形成された構造であって、前記反射体材料が前記芯部の収容スペース内に注ぎかけて設置される、ことを特徴とする請求項２に記載の中性子捕捉療法システム。
【請求項４】
所定の数量の芯部が接続して前記支持部材を形成し、前記支持部材の外側に、向かい合って設置される頂板、底板及び頂板、底板と接続して且つ芯部の外周を囲んで設置される側板が設けられており、前記接続した所定数量の芯部、芯部の収容スペース内に設けられた反射体、頂板、底板及び側板によって反射体モジュールを形成し、前記反射体モジュールが積み重ねて減速体の外表面を覆う反射部を形成する、ことを特徴とする請求項２に記載の中性子捕捉療法システム。
【請求項５】
前記芯部、頂板、底板及び側板の材料は低中性子吸收断面及び低活性化材料であって、前記芯部、頂板、底板及び側板の材料の総体積が前記反射体材料の体積を占める比率は10%より小さい、ことを特徴とする請求項４に記載の中性子捕捉療法システム。
【請求項６】
前記反射体の材料は鉛であって、前記芯部、頂板、底板及び側板の材料はアンチモン鉛である、ことを特徴とする請求項５に記載の中性子捕捉療法システム。
【請求項７】
前記アンチモン鉛材料の中の等価の全体アンチモン含有量が1%より小さい、ことを特徴とする請求項６に記載の中性子捕捉療法システム。
【請求項８】
中性子捕捉療法システムであって、荷電粒子ビームを発生するための加速器、荷電粒子ビームに照射されると中性子ビームを発生する中性子発生部、中性子ビームを整形するビーム整形体を含み、前記ビーム整形体は減速体及び減速体の外周を覆う反射部を含み、前記中性子発生部が荷電粒子ビームに照射された後に中性子を発生し、前記減速体が中性子発生部から発生した中性子をデフォルトのエネルギースペクトルに減速し、前記反射部は、逸れた中性子を戻してデフォルトのエネルギースペクトル内の中性子の強度を向上し、前記反射部の外周にはさらに遮蔽部が覆われ、前記遮蔽部は反射体を支持する支持部材及び支持部材の中に設置される遮蔽体を含む、ことを特徴とする中性子捕捉療法システム。
【請求項９】
前記反射部は鉛材料で製造される、ことを特徴とする請求項８に記載の中性子捕捉療法システム。
【請求項１０】
前記遮蔽部は複数のセルを含み、各セルが収容スペースを有する芯部を一つ形成し、前記遮蔽部が前記芯部の収容スペース内に設けられ、複数の芯部が接続して前記支持部材を形成する、ことを特徴とする請求項8に記載の中性子捕捉療法システム。
【請求項１１】
前記芯部の横断面は六角形である、ことを特徴とする請求項10に記載の中性子捕捉療法システム。
【請求項１２】
前記支持部材は一体的に形成された構造であって、前記遮蔽体の材料が前記芯部の収容スペース内に注ぎかけて設置される、ことを特徴とする請求項10に記載の中性子捕捉療法システム。
【請求項１３】
所定の数量の芯部が接続して前記支持部材を形成し、前記支持部材の外側に、向かい合って設置される頂板、底板及び頂板、底板と接続して且つ芯部の外周を囲んで設置される側板が設けられており、前記接続した所定数量の芯部、芯部内に設けられる遮蔽体、頂板、底板及び側板によって遮蔽体モジュールを形成し、前記遮蔽体モジュールが積み重ねて前記遮蔽部を形成する、ことを特徴とする請求項10に記載の中性子捕捉療法システム。
【請求項１４】
前記遮蔽体の材料は鉛であって、前記芯部、頂板、底板及び側板の材料は低中性子吸收断面及び低活性化材料であって、前記芯部、頂板、底板及び側板の材料の総体積が前記反射体材料の体積を占める比率は10%より小さい、ことを特徴とする請求項10に記載の中性子捕捉療法システム。
【請求項１５】
前記反射部は、逸れた中性子を戻してデフォルトのエネルギースペクトル内の中性子の強度を向上することができる反射体及び反射体を支持する支持部材を含み、反射体の材料は鉛であって、支持体の材料はアルミニウム合金またはアンチモン鉛である、ことを特徴とする請求項8に記載の中性子捕捉療法システム。
【発明の詳細な説明】
【技術分野】
【０００１】
本発明は放射線治療システムに関し、特に中性子捕捉療法システムに関する。
【背景技術】
【０００２】
原子科学の発展に従って、コバルト60、線形加速器、電子ビームなどの放射線療法は、すでにがん治療の主な手段の一つとなった。しかし、従来の光子または電子療法は、放射線そのものの物理的条件の制限で腫瘍細胞を殺すとともに、ビーム経路上の数多くの正常組織に損傷を与える。また、腫瘍細胞により放射線に対する感受性の度合いが異なっており、従来の放射線療法では、放射線耐性の高い悪性腫瘍（例、多形神経膠芽腫（glioblastoma multiforme）、黒色腫（melanoma））に対する治療効果が良くない。
【０００３】
腫瘍の周囲の正常組織への放射線損傷を軽減するすために、化学療法（chemotherapy）における標的療法が、放射線療法に用いられている。また、放射線耐性の高い腫瘍細胞に対し、現在では生物学的効果比（relative biological effectiveness、 RBE）の高い放射線源が積極的に開発されている（例えば、陽子線治療、重粒子治療、中性子捕捉療法など）。このうち、中性子捕捉療法は、上記の2つの構想を結びつけたものである。例えば、ホウ素中性子捕捉療法では、ホウ素含有薬物が腫瘍細胞に特異的に集まり、高精度な中性子ビームの制御と合わせることで、従来の放射線と比べて、より良いがん治療オプションを提供する。
【０００４】
ホウ素中性子捕捉療法（Boron Neutron Capture Therapy、 BNCT）はホウ素（10B）含有薬物が熱中性子に対し大きい捕獲断面積を持つ特性を利用し、10B(n、α) 7Li中性子捕捉と核分裂反応により4Heと7Liという2種の重荷電粒子を生成する。図1は、それぞれホウ素中性子捕捉の反応概略図と10B(n、α) 7Li中性子捕捉の原子核反応式を示す。2種の重荷電粒子は平均エネルギーが2.33MeVであり、高い線エネルギー付与(Linear Energy Transfer、 LET)及び短い射程という特徴を持つ。α粒子の線エネルギー付与と射程はそれぞれ150 keV/μm、8μmであり、7Li重荷粒子の場合、それぞれ175 keV/μm、5μmである。2種の粒子の合計射程が細胞のサイズに近いので、生体への放射線損害を細胞レベルに抑えられる。ホウ素含有薬物を選択的に腫瘍細胞に集め、適切な中性子源と合わせることで、正常組織に大きな損害を与えないで腫瘍細胞を部分的に殺せる。
【０００５】
加速器ホウ素中性子捕捉療法において、一方で中性子発生部が発生した中性子または他の粒子、例えばγ線が放射性を有して、もう一方で中性子発生部が発生した中性子が一般的にビーム整形体によってネルギースペクトルを調整して、中性子の収量を向上する必要があって、それで反射体を取り付けることで、粒子線漏洩率を低下させ、エネルギースペクトルを調整して、及び中性子の収量を向上する必要がある。鉛は伝統的に反射や遮蔽に使用される材料であるが、鉛のクリープ効果が顕著であって、構造的な剛性と長いライフサイクルを提供できない。ホウ素中性子捕捉療法にとって、中性子ビームの品質はビーム整形体だけではなく、反射体と遮蔽体にも関係する。先行技術において鉛は通常に反射材料として使用されているが、鉛のクリープ効果によって構造精度が不足になって、ホウ素中性子捕捉療法全体の安全性に影響を及ぼしてしまった。
【発明の概要】
【発明が解決しようとする課題】
【０００６】
したがって、上記の技術問題を克服するために、新たな中性子捕捉療法システムを提供する必要がある。
【課題を解決するための手段】
【０００７】
上記の技術問題を解決するために、本発明の一つの態様は中性子捕捉療法システムを提供して、中性子ビームの品質を顕著に影響しない前提でビーム整形体の構造強度/精度を向上できる。前記中性子捕捉療法システムは、荷電粒子ビームを発生するための加速器、荷電粒子ビームに照射されると中性子ビームを発生する中性子発生部、中性子ビームを整形するビーム整形体を含み、前記ビーム整形体は減速体及び減速体の外周を覆う反射部を含み、前記中性子発生部が荷電粒子ビームに照射された後に中性子を発生して、前記減速体が中性子発生部から発生した中性子をデフォルトのエネルギースペクトルに減速させ、前記反射部は、逸れた中性子を戻してデフォルトのエネルギースペクトル内の中性子の強度を向上することができる反射体及び反射体を支持する支持部材を含む。
【０００８】
さらに、前記反射部は複数のセルを含み、各セルが収容スペースを有する芯部を一つ形成し、複数の芯部が接続して前記支持部材を形成し、前記反射体が前記芯部の収容スペース内に設けられる。
【０００９】
さらに、前記支持部材は一体的に形成された構造であって、前記反射体材料が前記芯部の収容スペース内に注ぎかけて設置される。
好ましくは、モジュール化で反射部を設計し、具体的に、所定の数量の芯部が接続して前記支持部材を形成し、前記支持部材の外側に、向かい合って設置される頂板、底板及び頂板、底板と接続して芯部の外周を囲んで設置される側板が設けられており、前記接続した所定数量の芯部、芯部の収容スペース内に設けられた反射体、頂板、底板及び側板によって反射体モジュールを形成し、前記反射体モジュールが積み重ねて減速体の外表面を覆う反射部を形成する。後続の反射体モジュール同士の積み重ねの利便性を考慮して、好ましい本実施例において、前記所定数量は20個である。
【００１０】
できるだけで芯部、頂板、底板及び側板の材料が中性子ビームの品質に対する影響を減らすために、本願の中の前記芯部、頂板、底板及び側板の材料は低中性子吸收断面及び低活性化材料であって、前記芯部、頂板、底板及び側板の材料の総体積は前記反射体材料の体積を占める比例10%より小さい。
【００１１】
好ましくは、前記反射体の材料は鉛であって、前記芯部、頂板、底板及び側板の材料はアンチモン鉛である。
さらに、前記アンチモン鉛材料の中の等価の全体アンチモン含有量が1%より小さい。
【００１２】
上記の技術問題を解決するために、本発明のもう一つの態様は他種の中性子捕捉療法システムを提供して、中性子ビームの品質を顕著に影響しない前提でビーム整形体の構造強度/精度を向上できる。前記中性子捕捉療法システムは、荷電粒子ビームを発生するための加速器、荷電粒子ビームに照射されると中性子ビームを発生する中性子発生部、中性子ビームを整形するビーム整形体を含み、前記ビーム整形体は減速体及び減速体の外周を覆う反射部を含み、前記中性子発生部が荷電粒子ビームに照射された後に中性子を発生して、前記減速体が中性子発生部から発生した中性子をデフォルトのエネルギースペクトルに減速させ、前記反射部は、逸れた中性子を戻してデフォルトのエネルギースペクトル内の中性子の強度を向上し、前記反射部の外周にはさらに遮蔽部が覆われ、前記遮蔽部は反射体を支持する支持部材及び支持部材の中に設置される遮蔽体を含む。
【００１３】
さらに、遮蔽部が反射部を支持しているので、一種の実施態様として反射部は鉛材料で製造されて、芯部から形成される支持部材を含まない。
さらに、前記遮蔽部は複数のセルを含み、各セルが収容スペースを有する芯部を一つ形成し、前記遮蔽部が前記芯部の収容スペース内に設けられ、複数の芯部が接続して前記支持部材を形成し、前記支持部材は一体的に形成された構造であって、前記遮蔽体の材料が前記芯部の収容スペース内に注ぎかけて設置される。
【００１４】
さらに、芯部の成形の利便性と積み重ねの利便性のために、前記芯部の横断面は六角形である。
さらに、前記支持部材は一体的に形成された構造であって、前記遮蔽体の材料が前記芯部の収容スペース内に注ぎかけて設置される。
【００１５】
好ましくは、モジュール化で遮蔽部を設計し、具体的には、所定の数量の芯部が接続して前記支持部材を形成し、前記支持部材の外側に、向かい合って設置される頂板、底板及び頂板、底板と接続して且つ芯部の外周を囲んで設置される側板が設けられて、前記接続した所定数量の芯部、芯部内に設けられる遮蔽体、頂板、底板及び側板によって遮蔽体モジュールを形成して、前記遮蔽体モジュールが積み重ねて前記遮蔽部を形成する。後続の遮蔽部モジュール同士の積み重ねの利便性を考慮して、本実施例において、前記所定数量は20個で好ましいである。
【００１６】
さらに、前記遮蔽体材料は鉛であって、前記芯部、頂板、底板及び側板の材料は中性子吸収断面及び低活性化材料であって、前記芯部、頂板、底板及び側板の材料の総体積が前記反射体の材料の体積を占める比率が10%より小さい。
【００１７】
さらに、前記支持部材は一体的に形成された構造であって、前記反射体材料が前記芯部の収容スペース内に注ぎかけて設置される。
さらに、所定の数量の芯部が接続して前記支持部材を形成し、前記支持部材の外側に、向かい合って設置される頂板、底板及び頂板、底板と接続して且つ芯部の外周を囲んで設置される側板が設けられており、前記接続した所定数量の芯部、芯部の収容スペース内に設けられる反射体、頂板、底板及び側板で反射体モジュールを形成し、前記反射体モジュールが積み重ねて前記反射部を形成する。
【００１８】
さらに、前記芯部、頂板、底板及び側板の材料は低中性子吸收截面及び低活性化材料であって、前記芯部、頂板、底板及び側板の材料の総体積が前記反射体の材料の体積を占める比率が10%より小さい。
【００１９】
さらに、ビーム整形体全体の構造強度を確保するために、反射部と遮蔽部とも支持部材を有する構造設計になる。前記反射部は、逸れた中性子を戻してデフォルトのエネルギースペクトル内の中性子の強度を向上することができる反射体及び反射体を支持する支持部材を含み、反射体の材料は鉛であって、支持部材の材料はアルミニウム合金またはアンチモン鉛である。
【００２０】
先行技術と比べて、本願の中性子捕捉療法システムは、反射部の支持部材または/及び遮蔽部の支持部材を設置することで反射材料または/及び遮蔽材料を支持し、即ち、低中性子吸收及び低活性化の合金材料によって鉛材料を支持することで鉛材料のクリープ効果を克服し、中性子ビームの品質を影響しない状況でビーム整形体の構造強度を向上することができる。
【図面の簡単な説明】
【００２１】
【図１】本願のホウ素中性子捕捉反応の概略図。
【図２】本願の実施例１の中の遮蔽壁に取り付けられる中性子捕捉療法システムの概略図であって、遮蔽部を有して、かつ遮蔽部のみが支持部材を有する。
【図３】本願の実施例１の中の前記遮蔽部の芯部構造の概略図である。
【図４】本願の実施例１の中で遮蔽体材料を設置されていない状態で、遮蔽体モジュールの分解概略図。
【図５】本願の実施例２の中の遮蔽壁に取りつれられる中性子捕捉療法システムの概略図、その中でビーム整形体が遮蔽部を有しなくて、反射部のみ支持部材を有する。
【図６】本願の実施例２の中の前記反射部の芯部構造の概略図である。
【図７】本願の実施例２の中の反射体材料を設置されない状態において、反射体モジュールの分解概略図である。
【図８】本願の実施例３の中の遮蔽壁に取り付けられた中性子捕捉療法システムの概略図、その中で反射部と遮蔽部がいずれも支持部材を有する。
【発明を実施するための形態】
【００２２】
加速器が発生した粒子（例えば中性子）は、粒子線漏洩率を低下させるために反射体を取り付ける必要があり、放射線安全遮蔽を提供するために遮蔽体を取り付ける必要がある。鉛又は鉛合金は伝統的に反射または遮蔽に使用される材料だが、鉛のクリープ効果が顕著であるので、構造剛性と長いライフサイクルを提供できない。
【００２３】
図2に示すように、本願が中性子捕捉療法システム100を提供して、前記中性子捕捉療法システム100は、荷電粒子ビームPを発生するための加速器200、荷電粒子ビームPに照射されると中性子ビームを発生する中性子発生部10、中性子ビームを整形するビーム整形体20及びコリメータ30を含む。前記ビーム整形体20は、減速体21と減速体の外周を覆う反射部22を含む。前記中性子発生部10は荷電粒子ビームに照射された後で中性子ビームNを発生し、前記減速体21が中性子発生部10から発生した中性子ビームNをデフォルトのエネルギースペクトルに減速させ、前記反射部22は逸れた中性子を戻してデフォルトのエネルギースペクトル内の中性子の強度を向上し、前記コリメータ30は中性子発生部10が発生した中性子を収束させる。
【００２４】
実施例１として、前記中性子捕捉療法システム100はさらに遮蔽部40を含む。図3を参照して、前記遮蔽部40は支持部材41及び支持部材41の中に設置される遮蔽体42を含む。前記支持部材41は複数のセル43を含む。各セル43は収容スペース44を有する芯部45を形成しており、前記遮蔽体42が当該収容スペース44内に収容されており、複数の芯部45が接続して前記支持部材41を形成する。好ましい実施態様として、前記支持部材41は一体的に形成された構造であって、前記遮蔽体材料を前記支持部材41の各芯部45の収容スペース44内に注ぎかける。
【００２５】
図4に参照して、所定の数量の芯部45が接続して支持部材41を形成し、支持部材41は横断面が六角形であって、形成と積み重ねが容易である。支持部材41の外側に、向かい合って設置される頂板46、底板47及び頂板46、底板47と接続して芯部45の外周を囲んで設置されておる四つの側板48が設けられる。前記規定の数で接続している芯部45、芯部45内に設けられる遮蔽体42、頂板46、底板47及び側板48から遮蔽体モジュール49を形成し、前記遮蔽体モジュール49が積み重ねて前記遮蔽部40を形成する。本願において、後続の遮蔽体モジュール49同士の積み重ねることの利便性を考慮して、実施例として、前記規定の数は20個であることが好ましい。当然、当業者が設計要件に基づいて側板の数を調整でき、例えば三つ、六つなどにする；設計要件に基づいて遮蔽体モジュールの所定の数量を調整でき、例えば10個、30個などにする。
【００２６】
前記遮蔽体42の材料は鉛であって、前記頂板46、底板47及び頂板46、底板47及び側板48が低中性子吸収断面及び低中性子活性化の合金材料から製造される。できるだけ合金材料が中性子ビームの品質に対する影響を低減するために、前記合金材料の総体積が遮蔽体42の材料体積を占める比率は10%より小さい。
【００２７】
本実施態様において、反射部22は鉛材料から製造されたクリープ効果の有する構造であって、遮蔽部40は前記反射部22の外周を覆って、ビーム整形体20が、照射室内が発生した放射線を遮蔽する遮蔽壁W中に埋設されて、前記遮蔽部40が直接に前記遮蔽壁Wに支持され、遮蔽部40の内部の支持部材41が遮蔽体42自身を支持するとともに、反射部22を強度的に支持しビーム整形体20全体の構造強度を向上する。
【００２８】
図5に示すように、実施例２として、直接に実施例１の中の遮蔽部40の設置構造を反射部22に応用して、前記反射部22は支持部材221を含む構造に設置し、遮蔽部40を設置しない。
【００２９】
図6を参照して、前記反射部22は支持部材221及び支持部材221の中に設置される反射体222を含む。前記支持部材221は複数のセル223を含み、各セル223は収容スペース224を有する芯部225を形成して、前記反射体222が当該収容スペース224内に収容されて、複数の芯部225が接続して前記支持部材221を形成する。一種の好ましい実施態様として、前記支持部材221一体的に形成された構造であって、前記反射体222の材料が前記支持部材221の芯部225内に注ぎかける。
【００３０】
図7に示すように、反射部22はモジュール化設計されて、具体的には、所定の数量の芯部225を採用して、連接して支持部材221を形成し、前記支持部材221の外側に、向かい合って設置される頂板226、底板227及び頂板226、底板227と接続して芯部225外周を囲んで設けられる四つの側板228が設けられる。前記所定の数量の接続した芯部225、芯部225内に設けられた反射体222、頂板226、底板227及び側板228が反射体モジュール229を形成して、前記反射体モジュール229が重ねて前記反射部22を形成する。前記頂板226、底板227及び頂板226、底板227と接続して芯部225外周を囲んで設けられた四つの側板228は低中性子吸収断面及び低活性化の合金材料であって、前記合金材料の総体積が遮蔽体42の材料の体積を占める比例は10%より小さい。
【００３１】
図8は本願の実施例３であって、上述実施例と異なるところは、本実施例において、反射部と遮蔽部がいずれも支持部材を有する構造設計であって、本実施例において、反射部の構造と実施例２の中の反射部の構造と同じ、遮蔽部の構造と実施例１の中の遮蔽部の構造と同じので、詳細な説明は省略する。ビーム整形体20を遮蔽壁Wの中に埋設する時、遮蔽部40が直接に遮蔽壁Wに支持されて、当該実施態様が中性子ビームの品質を影響しない状況において、支持部材221を設置することで反射体222を支持して、支持部材41を設置することで遮蔽体42を支持して、反射体と遮蔽体が鉛材料を採用するために発生したクリープ効果によって引き起こされる構造上の精度の問題を克服することができる。
【００３２】
実施例２及実施例３において記載されるように、反射部は反射体を有するモジュールの構造である時、反射部22が前記減速体21の外周を覆うが、減速体21の外表面は一般的に円周形若しくは少なくとも一つの錐体状を有する構造であるので、反射体モジュール229から積み重ねて形成された反射部が減速体21の外表面を覆う時、構造上の結合問題も配慮すべきであって、直接に減速体21の表面と結合する箇所の反射体モジュールに対して構造調整を行って、例えば、減速体21との接触部分の反射体モジュールを切断して、反射部を減速体21の外表面に張り合わせることで、反射部22内の反射体222が逸れた中性子を反射することを影響しない。
【００３３】
本願の中の前記セルで形成された芯部は任意の孔状収容スペースを有する閉鎖形の構造であってもよい、例えば横断面は正方形、三角形もしくは六角形の幾何構造、孔状収容スペースを有する四面体、八面体若しくは十二面体、孔状収容スペースを有する非閉鎖式構造でもよい、ここでは一つずつの説明を省略する。前記鉛は注ぎかける方式で前記孔状の収容スペース内に設置されて、芯部材料に密接に囲まれることで、芯部の合金材料が鉛材料を支持する。
【００３４】
本願の実施例２と実施例３において、反射体モジュールおよび/または遮蔽体モジュールの積み重ねの利便性及び製造の利便性のために、反射部の芯部と遮蔽部の芯部とがいずれも横断面が六角形である構造を採用する。勿論、前記反射部の支持部材の構造が前記遮蔽部の支持部材構造と異なってもよい。例えば、遮蔽部の支持部材の芯部構造は横断面が六角形の幾何形状であるが、反射部の支持部材の芯部構造は四面体であって、支持部材の合金材料は鉛材料を支持して、かつ中性子ビームの品質に対する影響は小さいであればよい、ここでは詳細な説明を省略する。
【００３５】
上記のいずれの実施例でも、ビーム整形体全体の重量から考えて、前記芯部、頂板、底板及び頂板、底板と接続して芯部外周を囲んだ側板の材料は、いずれも質量が軽い合金材料を採用して、中性子ビームの品質に対する配慮を結合して、前記芯部、頂板、底板及び側板の材料はまたは低中性子吸收材料と低活性化材料を採用すべきであって、かつ前記頂板、底板、側板及び芯部の材料の総体積が反射体材料または遮蔽体材料の体積を占める比例は10%より小さい。本願において、前記頂板、底板、側板及び芯部の材料がアルミニウム合金材料からなることが好ましい。アルミニウム合金の代わりにアンチモン鉛をつかってもよく、原因はアンチモン鉛材料の中性子吸收截面がアルミニウム合金材料より高いが、前記頂板、底板、側板及び芯部の材料総体積が反射体材料または遮蔽体材料体積を占める比例は10%より小さく、等価の全体アンチモン含有量が1%より小さいので、アンチモン鉛材料の中のアンチモンが中性子ビームの品質に対して顕著な影響がない。
【００３６】
本願の前記ビーム整形体の中の反射体及び/または遮蔽体は、クリープ効果を有する鉛材料で製造されているが、ビーム整形体を照射室の遮蔽壁Wの中に埋設する時、遮蔽壁Wに支持される反射体及び/または遮蔽体は合金材料で製造された支持部材によってクリープ効果を有する鉛材料を支持できるので、ビーム整形体の全体の構造の精度を向上する。
【００３７】
本願の中の前記遮蔽部は、一方で合金材料を設置することで鉛材料を支持して、もう一方で在合金材料に支持された鉛材料の外周に頂板、底板及び頂板、底板とお互いに接続数側板を設置して、遮蔽部の構造強度を高める同時に、遮蔽部のモジュール化設計を実現して、構造がシンプルであって、それで、本願の中の遮蔽部を他の遮蔽場合に適用することができる。
【００３８】
本願の開示した中性子捕獲治療ためのビーム整形体は以上の実施例の前記の内容及び図面に示す構造に限られない。本願の基礎に基づいてその中の部品の材料、形状及び位置に対して明らかな修正、置換または変更はいずれも本出願の保護範囲内である。
【図１】
2020520773.tif 000003
【図２】
2020520773.tif 000004
【図３】
2020520773.tif 000005
【図４】
2020520773.tif 000006
【図５】
2020520773.tif 000007
【図６】
2020520773.tif 000008
【図７】
2020520773.tif 000009
【図８】
2020520773.tif 000010
【国際調査報告】
2020520773.tif 000011
2020520773.tif 000012
2020520773.tif 000013
2020520773.tif 000014